【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
摩耗部材を掘削装置に取付けるためのアセンブリであって、
掘削機の掘り起こし部に固定されるようになっており、互いにほぼ直交する２つの軸の周りで概して湾曲した凸状の前方支持面と、後方に面する支持面とを有するベースと、
前記前方支持面に当接するように互いにほぼ直交する２つの軸の周りで概して湾曲した凹状当接面と、支持壁部を有する開口部と、前方に突出している作用部とを有する摩耗部材と、
この磨耗部材の解放を防ぐように、前記後方に面する支持面及び前記開口部の支持壁部と対向するように前記開口部内に受けられるロックとを具備するアセンブリ。
【請求項２】
前記前方支持面と当接面との各々は、球面部分を形成している、請求項１のアセンブリ。
【請求項３】
前記後方に面する支持面は、凸状で湾曲している、請求項１もしくは２のアセンブリ。
【請求項４】
前記ロックは、前記後方に面する支持面と結合する接触面を有し、この接触面と前記後方に面する支持面との各々は、球面部分を形成する、請求項１ないし３のいずれか１のアセンブリ。
【請求項５】
前記前方支持面及び前記後方に面する支持面の曲率半径は、ほぼ同じ点を起点とする、請求項３もしくは４のアセンブリ。
【請求項６】
前記ベースは、舌状部もしくは溝部の一方を有し、前記磨耗部材は、前記舌状部もしくは溝部の他方を有し、また、前記溝部は、磨耗部材を支持するように舌状部を受ける、請求項１ないし５のいずれか１のアセンブリ。
【請求項７】
前記舌状部とスロットとの各々は、ほぼＴ字形の構造を有している、請求項６のアセンブリ。
【請求項８】
前記ロックは、開口部の前記支持壁部と対向する第１の接触面と、この後方に面する支持面と対向する第２の接触面とを有し、また、このロックは、前記第１及び第２の接触面を、互いに離れるように選択的に動かし、前記ベースへの前記摩耗部材の結合を強めるアクチュエータをさらに有する、請求項１ないし３のいずれか１のアセンブリ。
【請求項９】
前記アクチュエータは、ネジを有し、このネジの自由端部は、前記第１及び第２の接触面のうちの一方を形成している、請求項８のアセンブリ。
【請求項１０】
前記ネジの自由端部は、前記第２の接触面を形成する、請求項９のアセンブリ。
【請求項１１】
前記ロックは、弾性部材を有し、また、前記アクチュエータは、この弾性部材を圧縮し、この弾性部材は、前記ベースへの摩耗部材の結合を強めるようにロックを広げるようになっている、請求項８ないし１０のいずれか１のアセンブリ。
【請求項１２】
前記弾性部材は、エラストマーである、請求項１１のアセンブリ。
【請求項１３】
前記ロックは、前記弾性部材の圧縮を制限する少なくとも１つのストップをさらに有する、請求項１１もしくは１２のアセンブリ。
【請求項１４】
前記ベースは、浚渫カッターヘッドのアームとの一体部として鋳造されている、請求項１ないし１３のいずれか１のアセンブリ。
【請求項１５】
上にベースが固定される掘削機に対するアタッチメントのための摩耗部材であって、この摩耗部材が、ロックを収容する開口部と、前方に突出する作用部と、前記ベースの支持面に当接するようになっている、後方に面している当接面とを備え、前記当接面が、互いに直交する２つの軸の周りで概して湾曲した凹状の部分を形成する摩耗部材。
【請求項１６】
前記当接面は、球面部分を形成している、請求項１５の摩耗部材。
【請求項１７】
前記開口部は、湾曲した構造を有する後方壁部を有する、請求項１５もしくは１６の摩耗部材。
【請求項１８】
前記摩耗部材は、刃の部分を取付けるためのアダプタである、請求項１５ないし１７のいずれか１の摩耗部材。
【請求項１９】
前記ベースによって形成された舌状部あるいは溝部の一方と結合するように、舌状部か溝部かの他方を形成する脚部を具備する、請求項１５ないし１８のいずれか１の磨耗部材。
【請求項２０】
前記磨耗部材は、刃の部分を取付けるアダプタである、請求項１５ないし１９のいずれか１の磨耗部材。
【請求項２１】
上にベースが固定される掘削機に対するアタッチメントのための摩耗部材であって、この摩耗部材が、後方取付け部と、前方の作用部と、前記ベースの支持面に当接するようになっていて、凹状であり、第１の軸の周りに概して湾曲している後方に面している当接面と、前壁部と後壁部とを有し、ロックを受けるための開口部とを有し、この後壁は、ロックに対抗して磨耗部材を堀削機に保持するようになっており、また、凹状で、第１の軸にほぼ平行な第２の軸の周りに概して湾曲している、摩耗部材。
【請求項２２】
前記後方壁部の曲率は、第１の曲率半径によって規定され、前記当接面の曲率は、第２の曲率半径によって規定され、これら第１および第２の曲率半径の各々は、ほぼ同じ点を起点としている、請求項２１の摩耗部材。
【請求項２３】
前記当接面と後方壁部との各々は、概して球面部分を形成している、請求項２１もしくは２２の摩耗部材。
【請求項２４】
上にベースが固定される掘削機に対するアタッチメントのための摩耗部材であって、この摩耗部材が、堀削機に磨耗部材を取付けるための後方取付け部と、前方の作用部と、前記ベースの前端部に当接するようになっていて、このベースの前端部に結合するための概してボウルのような面を形成するように湾曲し、凹状である後方に面している当接面とを有している、摩耗部材。
【請求項２５】
上にベースが固定される掘削機に対するアタッチメントのための摩耗部材であって、この摩耗部材が、堀削機に磨耗部材を取付けるための後方取付け部と、前方の作用部と、前記ベースの前端部に当接するようになっていて、中央部とこの中央部を囲む周縁部とを有し、この周縁部が中央部の後方にくるように凹状にされ、かつ徐々に湾曲している、摩耗部材。
【請求項２６】
上にベースが固定される掘削機に対するアタッチメントのための摩耗部材であって、この摩耗部材が、前記ベースの前端部を受けるための凹部を有する後方取付け部と、前方の作用部と、前記ベースの前端部に当接するように前記凹部の前端部に設けられていて、水平方向と垂直方向の両方向にほぼ連続的に湾曲している凹面である、後方に面している当接面とを有している、摩耗部材。
【請求項２７】
上にベースが固定される掘削機に対するアタッチメントのための摩耗部材であって、この摩耗部材が、前方の作用部と後方取付け部とを有し、後方取付け部は、前記ベースの前端部を受けるように後方に開口した凹部を有し、この凹部は、上壁、下壁、側壁、およびベースの前端部に当接する前端部の壁によって形成され、この前端部の壁は、一方の側壁から他方の側壁へと前記凹部を横切って延びた第１の曲率と、上壁から下壁へと前記凹部を横切って延びた第２の曲率とを有するほぼ湾曲した凹状の形を有している、磨耗部材。
【請求項２８】
前記当接面は、連続的に湾曲した面である、請求項２４ないし２７のいずれか１の磨耗部材。
【請求項２９】
前記当接面は、概して球面部分を形成している、請求項２４ないし２８のいずれか１の摩耗部材。
【請求項３０】
前記ベースの相補的な部分を受けるためのスロットを有する脚部を更に具備している請求項２４ないし２９のいずれか１の磨耗部材。
【請求項３１】
前記堀削機に磨耗部材を取付けるためのロックが中に受けられる開口部を更に具備している請求項２４ないし３０のいずれか１の磨耗部材。
【請求項３２】
前記前方の作用部は、所定ポイントを取付けるための突出部である、請求項２４ないし３１のいずれか１の磨耗部材。
【請求項３３】
上にベースが固定される掘削機に対するアタッチメントのための摩耗部材であって、この摩耗部材が、後方取付け部と、前方の作用部と、前記ベースの前端部と当接するようになっていて、球面部分の形を有する当接面とを有している、磨耗部材。
【請求項３４】
磨耗部材を取付けるために、掘削機に取付けるようになっているベースであって、堀削機は、掘り起こし刃を有し、このベースは、この掘り起こし刃から離れるように後方に延びていて、摩耗部材を収容して保持する結合構造を有する脚部と、磨耗部材の相補面に当接するために互いに直交する２つの方向に前方支持面の実質的に全体を横切って湾曲している、前方に面する凸状支持面を有する本体とを具備している、ベース。
【請求項３５】
前記支持面は、球面部分を形成している、請求項３４のロック。
【請求項３６】
前記結合構造は、ほぼＴ字状の舌状部を形成している、請求項３４もしくは３５のベース。
【請求項３７】
前記堀削機に磨耗部材を保持するためにロックに当接する、後方に面する支持面を更に具備している請求項３４ないし３６のいずれか１のベース。
【請求項３８】
前記後方に面する支持面は湾曲し、この後方に面する支持面と前方に面する支持面とは、ほぼ同じ点を起点とする曲率半径によって形成されている、請求項３７のベース。
【請求項３９】
前記堀削機の前方掘り起こし刃の周りを包むためにほぼＵ字形の構造を有している、請求項３４ないし３８のいずれか１のベース。
【請求項４０】
磨耗部材を取付けるために、掘削機に取付けるようになっているベースであって、堀削機は、掘り起こし刃を有し、このベースは、摩耗部材を収容して保持する結合構造と、磨耗部材の相補的な面と当接するために前方に面する第１の凸状の支持面とロックに当接するために後方に面する第２の凸状の支持面とを有している本体とを備えている、ベース。
【請求項４１】
第１の曲率半径は、第１の支持面を少なくとも部分的に規定し、第２の曲率半径は、第２の支持面を少なくとも部分的に規定し、これら第１および第２の曲率半径は、ほぼ同じ箇所を起点としている、請求項４０のベース。
【請求項４２】
前記第１および第２の支持面の各々は、球面部分を形成している、請求項４０もしくは４１のベース。
【請求項４３】
摩耗部材をベースに取付けるためのロックであって、この摩耗部材が、前記ロックを収容する開口部を有し、このロックが、前方部材と、後方部材と、これら前方部材と後方部材との間の弾性部材と、アクチュエータとを有し、前記後方部材が、アダプタ内で前記開口部の後方壁部に当接する後方面を有し、前記アクチュエータが、前記ベースの後方支持面に当接する前方面を有し、前記アクチュエータが、前記前方面及び後方面を互いに離れるように動かし、前記アダプタとボスとの接続を強めるように作動可能であり、前記アクチュエータが、さらに、前記前方部材及び後方部材を一緒に引っ張って前記弾性部材を圧縮するように作動可能であるロック。
【請求項４４】
前記アクチュエータはネジである、請求項４３のロック。
【請求項４５】
前記ネジは、前記前方部材にねじ込み接続されている、請求項４４のロック。
【請求項４６】
前記前方面は、凹状の湾曲面を形成している、請求項４３ないし４５のいずれか１のロック。
【請求項４７】
前記前方面は、球面部分を形成している、請求項４３ないし４６のいずれか１のロック。
【請求項４８】
前記弾性部材は、エラストマーである、請求項４３ないし４７のいずれか１のロック。
【請求項４９】
ベース部材と、前方に突出した複数の螺旋状のアームとを備え、各アームが、各々が、同じ形状の固いロケータ構造体を備える複数の離間したロケータ構造を有する前縁部を有する浚渫カッターヘッドであって、前記ロケータ構造が、掘り起こし部材と明確に結合して、この掘り起こし部材の前記アーム上での位置を正確に決めるような形状になっている、浚渫カッターヘッド。
【請求項５０】
前記各ロケータ構造は、前記アームから前方に突出するロケータ突出部を有する、請求項４９の浚渫カッターヘッド。
【請求項５１】
各ロケータ構造は、特定の形状及び間隔を有する１対の離間した面を有し、少なくとも２つのロケータ構造の前記離間した面は、前記アームの前縁部に対して異なるように配置されている、請求項４９の浚渫カッターヘッド。
【請求項５２】
ベース部材と、ハブと、これらベースとハブとの間に延びている複数の螺旋状のアームとを備える浚渫カッターヘッドであって、各アームが、これ自体に沿ってアームに取付けられた複数の離間したベースを有する前縁部と、ベースに取付けられていて少なくとも１つの刃部品を各々が有する複数の刃部と、この刃部品をベースに着脱可能に取付けるための複数のロックとを有している、浚渫カッターヘッド。
【請求項５３】
前記各ベースは、第１の結合構造、湾曲した凸状の前方支持面、および後方支持面を有し、前記各刃部品は、第１の結合構造と互いに接続される第２の結合構造、夫々のベースの支持面と当接している湾曲した凹状当接面、および支持壁を備えた開口部を有し、また、前記各ロックは、前記結合構造の解放を防いで刃部品を浚渫カッターヘッドに保持するように、開口部の後方支持面および後壁に対抗するように夫々の開口部中に収容される、請求項５２の浚渫カッターヘッド。
【請求項５４】
前記前方支持面と当接面との各々は、球面部分を形成する、請求項５３の浚渫カッターヘッド。
【請求項５５】
前記ロックは、前記後方支持面と結合する接触面を有し、この接触面と前記後方支持面との各々は、球面部分を形成する、請求項５３もしくは５４の浚渫カッターヘッド。
【請求項５６】
前記ロックは、前記後方壁部と対向する第１の接触面と、前記後方支持面と対向する第２の接触面とを有し、また、このロックは、さらに、これら第１及び第２の接触面を互いに離れるように選択的に動かして、前記アダプタの前記ベース上への結合を強める、請求項５３もしくは５４の浚渫カッターヘッド。
【請求項５７】
前記ロックは、前方部材と、後方部材と、これらの間の弾性部材とを有し、前記アクチュエータは、前記アダプタと前記ベースとの間に摩耗が生じたときに、前記弾性部材が、前記アダプタを前記ベースに対して締め付けることができるように、前記ロックが前記開口部内にある場合に、前記前方部材と後方部材との間で前記弾性部材を圧縮するようになっている、請求項５３の浚渫カッターヘッド。
【請求項５８】
前記アクチュエータは、ネジである、請求項５６もしくは５７の浚渫カッターヘッド。
【請求項５９】
前記弾性部材は、エラストマーである、請求項５６ないし５８のいずれか１の浚渫カッターヘッド。
【請求項６０】
前記各ベースは、それぞれのアームの一体部として鋳造されている、請求項５２ないし５９のいずれか１の浚渫カッターヘッド。
【請求項６１】
少なくとも１つの前記ロケータ構造は、前記各アーム上で少なくとも１つの他方のロケータ構造とは異なる方向に配置されている、請求項５２ないし６０のいずれか１の浚渫カッターヘッド。
【請求項６２】
アダプタを浚渫カッターヘッドに正しい位置で取付ける方法であって、
浚渫カッターヘッドに、複数の前方に突出する螺旋状のアームを設けることであって、各アームが前縁部を有し、この各前縁部が、各々が同じ形態を有する複数の離間したロケータ構造を有することと、
前記アームに対するアタッチメントのためのアダプタを、前記複数のロケータ構造に設けることであって、前記アダプタの各々が、前方に突出する突出部と、前記ロケータ構造のそれぞれと結合できる結合構造とを有することと、
前記アダプタが、前記アームに対して正しく配置されるように、前記ロケータ構造のうちの１つによって、各アダプタの結合構造を結合することと、
各アダプタを、前記アーム上の定位置に固定することとを備える方法。
【請求項６３】
前記ロケータ構造は、前記アームから前方に突出する突出部を有し、前記結合構造は、前記突出部を結合収容するポケットを有する、請求項６２の方法。
【請求項６４】
前記ロケータ構造は、１対の離間した前方に面する面を有し、前記結合構造は、１対の対向して後方に面する面を有する、請求項６２の方法。
【請求項６５】
前記各アダプタを前記アームに対して固定するために、前記アダプタの各々の開口部内にロックが設けられている、請求項６２ないし６４のいずれか１の方法。
【請求項６６】
前記各アダプタは、前記アームに溶接することによってこのアームに固定されている、請求項６２ないし６４のいずれか１の方法。
【請求項６７】
前記ロケータ構造のうちの少なくとも２つは、前記アームの前縁部に対して異なる方向を有していることを特徴とする請求項６２ないし６６のいずれか１の方法。